(57)【要約】【課題】本発明は、ユーザによってより利便性の高い画像置換が可能な画像処理装置を提供することを目的とする。【解決手段】本発明の画像処理装置は、第一の動画像を含む第一の情報データを記録する記録部と、第二の動画像を受信する第一の受信部と、第一の動画像と第二の動画像とのショットの時間長の差を検出する検出部と、検出部によって検出されたショットの時間長の差に基づいて、第二の動画像を補正する補正部と、第一の情報データに含まれる第一の動画像を、補正部によって補正された第二の動画像に置換する置換処理を実行することで、第二の情報データを生成する合成部と、を備える。【選択図】      図１
2012070212.tif 000002
【特許請求の範囲】
【請求項１】
第一の動画像を含む第一の情報データを記録する記録部と、
第二の動画像を受信する第一の受信部と、
前記第一の動画像と前記第二の動画像とのショットの時間長の差を検出する検出部と、
前記検出部によって検出された前記ショットの時間長の差に基づいて、前記第二の動画像を補正する補正部と、
前記第一の情報データに含まれる前記第一の動画像を、前記補正部によって補正された前記第二の動画像に置換する置換処理を実行することで、第二の情報データを生成する合成部と、を備えることを特徴とする、画像処理装置。
【請求項２】
前記第一の動画像と前記第二の動画像とが類似するか否かを判定する判定部と、
前記判定部により、前記第一の動画像と前記第二の動画像とが類似すると判定された場合、前記合成部は、前記置換処理を実行することを特徴とする、請求項１に記載の画像処理装置。
【請求項３】
前記判定部は、前記第一の動画像と前記第二の動画像とのショットの時間長の差が所定の値以上である場合、前記第一の動画像と前記第二の動画像とは類似しないと判定することを特徴とする、請求項２に記載の画像処理装置。
【請求項４】
前記第一の情報データは、複数のショットから構成される第三の動画像を含み、
前記第一の動画像は、前記第三の動画像の一部のショットであることを特徴とする、請求項１乃至３のいずれか一項に記載の画像処理装置。
【請求項５】
前記合成部は、前記第一の動画像に施された画像処理に基づいて、前記第二の動画像に対して画像処理を施すことを特徴とする、請求項１乃至４のいずれか一項に記載の画像処理装置。
【請求項６】
前記第一の動画像に関する所定の撮影情報を出力する撮影補助部を更に備えることを特徴とする、請求項１乃至５のいずれか一項に記載の画像処理装置。
【請求項７】
前記第二の情報データを、前記記録部に記録された前記第一の情報データに上書き保存するか否かを判定する保存判定部と、
前記保存判定部が、前記第二の情報データが前記第一の情報データに上書き保存すると判定した場合、前記第二の動画像の送信元に、所定の通知を送信する通知部と、を更に備えることを特徴とする、請求項１乃至６のいずれか一項に記載の画像処理装置。
【請求項８】
請求項１乃至７のいずれか一項に記載の画像処理装置と、
通信端末と、を備え、
前記通信端末は、撮影部と、第二の送信部と、を有し、
前記撮影部は、前記第二の動画像を撮影し、
前記第二の送信部は、前記第二の動画像を、前記画像処理装置に送信することを特徴とする、画像処理システム。
【請求項９】
第一の動画像を含む第一の情報データを記録する工程と、
第二の動画像を受信する工程と、
前記第一の動画像と前記第二の動画像とのショットの時間長の差を検出する検出工程と、
前記検出工程によって検出された前記ショットの時間長の差に基づいて、前記第二の動画像を補正する補正工程と、
前記第一の情報データに含まれる前記第一の動画像を、前記補正工程によって補正された前記第二の動画像に置換する置換処理を実行することで、第二の情報データを生成する合成工程と、を備えることを特徴とする、画像処理方法。
【請求項１０】
請求項９に記載の画像処理方法に含まれる工程を、コンピュータに実行させることを特徴とする、画像処理プログラム。
【発明の詳細な説明】
【技術分野】
【０００１】
本発明は、端末が撮影した画像を処理する画像処理装置、画像処理システム、画像処理方法及び画像処理プログラムに関する。
【背景技術】
【０００２】
近年、画像を撮影可能な端末、例えばカメラ機能付き携帯端末が普及している。このような端末が普及する中で、端末が撮影した画像を楽しく鑑賞するサービスのニーズが高まっている。
【０００３】
端末で撮影された画像を活用したサービスに関する技術が、例えば特許文献１に記載されている。
【０００４】
特許文献１には、ユーザのデジタルカメラ等で撮影した撮影画像を、カラオケ装置に記録された既存の動画像の１シーンと置き換える技術が開示されている。また、既存の動画像を撮影画像と置き換えても、該既存の動画像のトランジション効果や遷移効果と同様の効果が得られるように、画像処理を行うことが開示されている。
【先行技術文献】
【特許文献】
【０００５】
【特許文献１】特開２００３−２０９８２１号公報
【発明の概要】
【発明が解決しようとする課題】
【０００６】
しかしながら特許文献１においては、既存の動画像と置換する撮影画像が静止画像でなく、動画像であった場合に特有の課題については何ら開示されていない。すなわち、既存の動画像と、ユーザが撮影した動画像との、それぞれのショットの時間長の違いについては何ら考慮されていない。
【０００７】
一方で、再生時間が決まっているカラオケ音楽の音データが付与された既存の動画像を、ショットの時間長が異なる動画像に置換してしまうと、カラオケ音楽の途中で動画像が終了するなどの問題が生じる。
【０００８】
すなわち、特許文献１に記載の技術を用いて、既存の動画像と撮影した動画像とを置換する場合であって、係る問題を回避するためには、撮影する動画像のショットの時間長を、既存の動画像のショットの時間長と同じとしなければならない。
【０００９】
そのため、ユーザは、自身が撮影した動画像を既存の動画像と置換するためには、既存の動画像と同じ時間長の撮影画像を撮影しなければならないこととなり、利便性に欠ける。
【００１０】
本発明は、このような問題に鑑み、ユーザが撮影する動画像を既存の動画像に置換するにあたって、動画像の時間長の制約を緩和することで、ユーザによってより利便性の高い画像置換が可能な画像処理装置を提供することを目的とする。
【課題を解決するための手段】
【００１１】
本発明の画像処理装置は、第一の動画像を含む第一の情報データを記録する記録部と、第二の動画像を受信する第一の受信部と、第一の動画像と第二の動画像とのショットの時間長の差を検出する検出部と、検出部によって検出されたショットの時間長の差に基づいて、第二の動画像を補正する補正部と、第一の情報データに含まれる第一の動画像を、補正部によって補正された第二の動画像に置換する置換処理を実行することで、第二の情報データを生成する合成部と、を備える。
【００１２】
本発明の画像処理システムは、本発明の画像処理装置と、通信端末と、を備え、通信端末は、撮影部と、第二の送信部と、を有し、撮影部は、第二の動画像を撮影し、第二の送信部は、第二の動画像を、画像処理装置に送信する。
【００１３】
本発明の画像処理方法は、第一の動画像を含む第一の情報データを記録する工程と、第二の動画像を受信する工程と、第一の動画像と第二の動画像とのショットの時間長の差を検出する検出工程と、検出工程によって検出されたショットの時間長の差に基づいて、第二の動画像を補正する補正工程と、第一の情報データに含まれる第一の動画像を、補正工程によって補正された第二の動画像に置換する置換処理を実行することで、第二の情報データを生成する合成工程と、を備える。
【００１４】
本発明の画像処理プログラムは、本発明の画像処理方法に含まれる工程を、コンピュータに実行させる。
【発明の効果】
【００１５】
本発明における画像処理装置、画像処理システム、画像処理方法及び画像処理プログラムにより、ユーザが撮影する動画像を既存の動画像に置換するにあたって、動画像の時間長の制約を緩和することで、ユーザによってより利便性の高い画像置換が可能となる。
【図面の簡単な説明】
【００１６】
【図１】本発明の第１の実施形態における画像処理装置の構成の一例を示す。
【図２】本発明の第１の実施形態における画像処理装置の動作の一例を示す。
【図３】本発明の第１の実施形態における画像処理システムの構成の一例を示す。
【図４】本発明の第２の実施形態における画像処理システムの構成の一例を示す。
【図５】本発明の第２の実施形態における画像処理装置の動作の一例を示す。
【図６】本発明の第２の実施形態における画像処理装置で処理する動画像の一例を示す。
【図７】本発明の第３の実施形態における画像処理システムの構成の一例を示す。
【図８】本発明の第４の実施形態における画像処理システムの構成の一例を示す。
【発明を実施するための形態】
【００１７】
本発明の実施の形態について図面を参照しながら説明する。しかしながら、係る形態は本発明の技術的範囲を限定するものではない。
【００１８】
［第１の実施形態］
本発明の第１の実施形態における画像処理装置の構成について、図１を用いて説明する。
【００１９】
本実施形態における画像処理装置１０は、記録部１１と、受信部１２と、検出部１３と、補正部１４と、合成部１５と、を備える。
【００２０】
記録部１１は、第一の動画像を含む第一の情報データを記録する。受信部１２は、第二の動画像を受信する。検出部１３は、第一の動画像と第二の動画像とのショットの時間長の差を検出する。ショットとは、１つのカメラワークで撮影された、連続するフレームの集合を示す。補正部１４は、検出部１３によって検出された前記ショットの時間長の差に基づいて、第二の動画像を補正する。合成部１５は、第一の情報データに含まれる第一の動画像を、補正部１４によって補正された第二の動画像に置換する置換処理を実行することで、第二の情報データを生成する。
【００２１】
次に、本実施形態における画像処理装置１０の動作について図２を用いて説明する。
【００２２】
初めに、記録部１１は、第一の動画像を含む第一の情報データを記録している（ステップ１）。第一の情報データは、第一の動画像の他に、例えば、第一の動画像に付与された音データや文字情報を含むこととしても良い。
【００２３】
次に、受信部１２は、第二の動画像を受信する（ステップ２）。第二の動画像は、例えば、画像処理装置１０の外部の通信端末から送信される。
【００２４】
受信部１２が第二の動画像を受信すると、検出部１３は、記録部１１に記録された第一の動画像と第二の動画像とのショットの時間長の差を検出する（ステップ３）。例えば、第一の動画像のショットの時間長が２０秒で、第二の動画像のショットの時間長が１５秒であるとするこの場合、検出部１３は、それぞれのショットの時間長の差が５秒であることを検出する。
【００２５】
次に、補正部１４は、第一の動画像と第二の動画像とのショットの時間長の差に基づいて、第二の動画像を補正する（ステップ４）。
【００２６】
例えば、第一の動画像のショットの時間長が、第二の動画像のショットの時間長よりも長い場合、第二の動画像に含まれる最後のフレームを静止させるように補正することとしても良い。あるいは、第二の動画像の各フレームの切り替えを遅くして、全体的にスローモーションとなるように補正することとしても良い。一方、第一の動画像のショットの時間長が、第二の動画像のショットの時間長よりも短い場合、第二の動画像の一部を削除することとしても良い。あるいは、第二の動画像の各フレームの切り替えを速くして、全体的に早送りとなるように補正することとしても良い。
【００２７】
次に、合成部１５は、補正部１４によって補正された第二の動画像を、第一の動画像に置換する（ステップ５）。これにより、第一の情報データのうちの第一の動画像が、補正後の第二の動画像に変更した情報データ、すなわち第二の情報データが生成する。
【００２８】
以上のようにして、画像処理装置１０による動画像の置換が完了する。
【００２９】
本実施形態における画像処置装置を利用した、画像処理システムの構成の一例を図３に示す。
【００３０】
画像処理システム１００は、本実施形態の画像処置装置１０と、通信端末２０を備える。
【００３１】
通信端末２０は、撮影部２１と、送信部２２を備える。撮影部２１は、第二の動画像を撮影する。送信部２２は、撮影部２１で撮影した第二の動画像を、画像処理装置１０に送信する。
【００３２】
画像処理装置１０は、受信部１２が通信端末２０から受信した第二の動画像を受信すると、上述したステップ２〜ステップ５の動作を行う。
【００３３】
以上のように、本実施形態においては、第一の動画像と第二の動画像のそれぞれのショットの時間長が異なる場合でも、動画像の置換の前後でショットの時間長が変化しないように、第二の動画像を補正することができる。
【００３４】
これにより、例えば、第一の動画像が、再生時間が決まっている音データが付与されている場合に、第二の動画像と置換したとしても、途中で動画像が途切れるなどの不具合を防止できる。
【００３５】
また、ユーザは、第二の動画像を撮影する際、ショットの時間長が第一の動画像全く同じになるように撮影することを意識しなくても済む。そのため、ユーザが撮影した動画像を既存の動画像に置換する場合における、ユーザが撮影する動画像のショットの時間長の制約を緩和することができ、ユーザにとってより利便性の高い画像置換が可能となる。
【００３６】
なお、本実施形態においては、補正部１４と合成部１５とを区別して記載したが、これに限らない。すなわち、合成部１５が、補正部１４の機能も備え、第二の動画像の補正を行うこととしても良い。
【００３７】
また、本実施形態における画像処理装置１０が更に備える制御部が、バスを介して、画像処理装置１０の各構成部位を制御する構成としても良い。同様に通信端末２０が更に備える制御部が、バスを介して、通信端末２０の各構成部位を制御する構成としても良い。
【００３８】
このように、制御部が画像処理装置あるいは通信端末の各構成部位の制御を行う構成としても良いことは、後述する全ての実施形態においても同様である。
【００３９】
［第２の実施形態］
次に、本発明の第２の実施形態における画像処理システムについて図４を用いて説明する。
【００４０】
本実施形態における画像処理システム２００は、画像処理装置３０と、通信端末４０と、を備える。
【００４１】
画像処理装置３０は、第一の実施形態における画像処理装置１０の構成に加えて、分割部１６と、判定部１７と、表示部１８と、送信部１９と、を備える。分割部１６は、複数のショットから構成される動画像を、ショットごとに分割する。判定部１７は、記録部１１に記録された動画像と受信部１２が受信した動画像とが類似するか否かを判定する。表示部１８は、合成部１５によって作成された情報データに含まれる動画像を表示する。
【００４２】
通信端末４０は、第一の実施形態の画像処理システム１００における通信端末２０の構成に加えて、受信部２３と、表示部２４と、を備える。
【００４３】
次に、本実施形態における動作について図５を用いて説明する。
【００４４】
初めに、記録部１１は、複数のショットから構成される動画像を含む第一の情報データを記録している（ステップ１１）。本実施形態においては、第一の情報データに含まれる動画像を、カラオケ用動画像とする。カラオケ用動画像とは、例えば、音楽のフレーズごとに動画像のショットが切り替わる動画像である。また、第一の情報データは、カラオケ用動画像の他に、例えばカラオケ用動画像に付与された音データや、文字情報を含むこととしても良い。カラオケ用動画像に付与された音データとは、例えば、カラオケ用音楽である。また、カラオケ用動画像に付与された文字情報とは、例えば、カラオケ用音楽の歌詞の字幕である。
【００４５】
一方、通信端末４０は、撮影部２１で撮影した撮影動画像を、送信部２２によって画像処理装置３０に送信する。
【００４６】
画像処置装置３０の受信部１２は、通信端末４０から送信された撮影動画像を受信する（ステップ１２）。なお、送信部２２や受信部１２が動画像を送受信する際には、画像データをエンコード及びデコードする技術を用いる。
【００４７】
次に、分割部１６は、カラオケ用動画像をショットごとに分割する（ステップ１３）。ショットごとに分割する方法としては、例えば、ショット境界を検出し、動画像をショット単位に分割する方法がある。また、ショットの境界には、カットと呼ばれるショット境界と、トランジションと呼ばれるショット境界がある。カットとは、瞬間的に切り替わるショット境界である。トランジションとは、ある時間内に徐々に切り替わるショット境界である。これらのショット境界については、それぞれその検出技術が開発されている。そのような検出技術は、例えば、特開２００４−２６０７３４号公報に記載されている。
【００４８】
そして、分割部１６によりカラオケ用動画像がショットごとに分割されると、判定部１７は、各ショットの動画像と、撮影動画像とが類似するか否かを判定する（ステップ１４）。
【００４９】
動画像同士の類似の判定にあたっては、例えば、それぞれの動画像に含まれる人物を抽出して、その人物の数に基づいて判断されることとしても良い。あるいは、それぞれの動画像の背景の色によって判定されることとしても良い。動画像同士の特徴の類似性を判定する技術としては、例えば、特開２００４−２３４６１３号公報に記載されている技術を用いることとしても良い。
【００５０】
ここで、カラオケ用動画像に含まれる各ショットの動画像のうち、判定部１７によって、撮影動画像と類似すると判定されたショットの動画像（以下、類似動画像とする）があったとする（ステップ１４においてＹＥＳ）。
【００５１】
この場合、検出部１３は、類似動画像と撮影動画像とのショットの時間長の差を検出する（ステップ１５）。そして、補正部１４は、類似動画像と撮影動画像とのショットの時間長の差に基づいて、撮影動画像を補正する（ステップ１６）。すなわち、補正部１４は、撮影動画像のショットの時間長が、類似動画像のショットの時間長と同じになるように、撮影動画像を補正する。
【００５２】
例えば、類似動画像のショットの時間長が、撮影動画像のショットの時間長よりも長い場合、撮影動画像に含まれる最後のフレームを静止させるように補正することとしても良い。あるいは、撮影動画像の各フレームの切り替えを遅くして、全体的にスローモーションとなるように補正することとしても良い。
【００５３】
一方、類似動画像のショットの時間長が、撮影動画像のショットの時間長よりも短い場合、撮影動画像の一部を削除することとしても良い。あるいは、撮影動画像の各フレームの切り替えを速くして、全体的に早送りとなるように補正することとしても良い。
【００５４】
なお、撮影動画像の一部を削除する場合には、撮影動画像のうち、人物が登場しない部分を削除することとしても良い。あるいは、撮影動画像のうち、画像のピントが合っていない部分を削除することとしても良い。なお、人物が登場しているか否かは、例えば、特開２０１０−１４７８０８号公報に記載された顔検出技術を用いることとしても良い。
【００５５】
次に、合成部１５は、補正部１４によって補正された撮影動画像を、類似動画像に置換する。これにより、第一の情報データに含まれるカラオケ用動画像の一部である類似動画像が、補正部１４による補正後の撮影動画像に置換された情報データ（以下、第二の情報データとする）が生成する（ステップ１７）。
【００５６】
ここで、本実施形態における合成部１５は、類似動画像に施された画像処理を、撮影動画像に対しても施すこととする。類似動画像に施された画像処理とは、例えば、画像の色彩調整やトランジション処理である。より具体的には、例えば、類似動画像がモノクロで表示されるよう画像処理が施されている場合、合成部１５は、撮影動画像もモノクロで表示されるように画像処理を施す。また、類似動画像のショットとその前後のショットとの切替えが、フェードアウトあるいはフェードインする形式により実行される場合、撮影動画像のショットの切替えについても、同様の形式で実行されるように画像処理を施す。
【００５７】
なお、記録部１１は、カラオケ用動画像に含まれる各ショットの画像処理に関する情報を記録することとしても良い。そして、合成部１５は、記録部１１に記録された類似動画像の画像処理に関する情報を参照して、撮影動画像の画像処理を行うこととしても良い。
【００５８】
あるいは、合成部１５が、類似動画像の画像処理を分析した上で、その分析結果に基づき、撮影動画像の画像処理を行うこととしても良い。この場合、記録部１１は、カラオケ用動画像の各ショットの動画像の画像処理の情報を記録しておく必要はなくなる。
【００５９】
なお、ステップ１４において、カラオケ用動画像に含まれる各ショットの動画像のうち、撮影動画像と類似する動画像が複数あると判定された場合は、最も類似性の高い動画像と、撮影動画像とを置換することとしても良い。あるいは、撮影動画像と一定以上の類似性を有する動画像はそれぞれ、撮影動画像と置換することとしても良い。この場合、カラオケ用動画像に含まれる複数のショットの動画像が、同じ撮影動画像に置換される場合が生じる。
【００６０】
なお、ステップ１４において、カラオケ用動画像に含まれる各ショットの動画像のうち、撮影動画像と類似する動画像が一つもないと判定された場合には（ステップ１４においてＮＯ）、ステップ１１の後に戻り、別の撮影動画像を受信するのを待つこととしても良い。
【００６１】
以上のようにして、合成部１５による第二の情報データの作成が完了する。
【００６２】
そして、表示部１８は、第二の情報データに含まれる動画像を表示する（ステップ１８）。なお、第二の情報データに、動画像に付与された音データが含まれる場合には、画像処理装置３０が更に備える音出力部により、その音データを再生することとしても良い。
【００６３】
ここで、図６に、本実施形態における画像処理装置３０で処理される動画像の一例を示す。図６に示す例においては、第一の情報データに含まれるカラオケ用動画像を、少なくとも５つのショット１〜５から構成されたカラオケ用動画像とする。そして、ショット分割されたショットのうちのショット２の動画像が、撮影動画像と類似すると判定され、ステップ１５〜ステップ１７が実行される。これにより、第二の情報データに含まれるカラオケ用動画像が作成される。
【００６４】
以上のように、本実施形態においては、カラオケ用動画像に含まれるショットのうち、撮影動画像と類似する動画像のショットを、撮影動画像に置換する。そのため、例えば、カラオケ用動画像の中で、人物が登場するショットの動画像を、通信端末４０のユーザが撮影した動画像に置換することができる。これにより、通信端末４０のユーザは、自身が撮影した動画像が挿入されたカラオケ用動画像を楽しむことができる。
【００６５】
また、合成部１５は、撮影動画像に対して、類似動画像に施された画像処理と同様の画像処理を施すこととした。そのため、類似動画像を撮影動画像に置換した後、カラオケ用動画像全体を見た際の違和感を生じにくくさせることができる。例えば、第一の情報データに含まれるカラオケ用動画像の全てのショットの動画像に、モノクロで表示されるための画像処理が施されていたとする。この場合、カラオケ用動画像の一部を、カラーモードで撮影された撮影動画像にそのまま置換すると、置換した部分だけカラー表示されることとなる。そのため、第二の情報データに含まれるカラオケ用動画像全体を通して見た際に違和感が生じる。しかし、本実施形態においては、撮影動画像に対しても、類似動画像と同様の画像処理を施すこととした。そのため、撮影動画像に置換した部分もモノクロで表示されることとなり、違和感は生じにくい。
【００６６】
但し、ユーザが、撮影動画像の色調や画像効果にこだわりを持っており、撮影動画像に対して類似動画像と同様の画像処理がなされることを希望しない場合も考えられる。そのため、このような画像処理を行わないように設定できることとしても良い。
【００６７】
また、ステップ１４において、判定部１７が動画像同士の類似を判定する際には、ショットの時間長の差も考慮することとしても良い。すなわち、ショット時間長の差が所定の値以上の場合には、類似しないと判定することとしても良い。これにより、ステップ１６において、補正部１４が撮影動画像のショット時間長を大幅に補正することにより、不自然な動画像となってしまうことを回避できる。
【００６８】
なお、本実施形態においては、画像処理装置３０の表示部１８が、第二の情報データに含まれるカラオケ用動画像を表示することとしたが、これに限らない。例えば、第二の情報データは、画像処理装置３０の送信部１９から通信端末４０に送信されることとしても良い。この場合、通信端末４０の受信部２３が第二の情報データを受信する。そして、表示部２４が、第二の情報データに含まれるカラオケ用動画像を表示することとしても良い。また、第二の情報データを受信するのは、通信端末４０ではなく、他の通信端末とすることとしても良い。
【００６９】
また、本実施形態においては、通信端末４０が送信する撮影動画像が１つである場合について述べたが、これに限らない。すなわち、通信端末４０は、複数の撮影動画像を送信することとしても良い。この場合、通信端末４０から送信された複数の撮影動画像それぞれについて、ステップ１２〜ステップ１７の動作が実行されることとしても良い。
【００７０】
また、本実施形態においては、撮影動画像を送信するのは通信端末４０のみとしたが、これに限らない。すなわち、複数の通信端末から、それぞれ撮影動画像が送信されることとしても良い。この場合についても、複数の通信端末から送信された撮影動画像のそれぞれについて、ステップ１２〜ステップ１７の動作が実行されることとしても良い。
【００７１】
また、第一の情報データに含まれるカラオケ用動画像の一部を撮影動画像に置換する際、撮影動画像から人物などをオブジェクト単位で切り出して、オブジェクト単位で置換することとしても良い。
【００７２】
更に、本実施形態で述べたカラオケ用動画像は、複数のカラオケ用動画像からユーザが選択するものとしても良い。例えば、ユーザが特定の楽曲を選択し、その楽曲に対応する情報データに含まれるカラオケ用動画像について、ステップ１３〜ステップ１８が実行されることとしても良い。これにより、ユーザが希望する楽曲のカラオケ用動画像に、ユーザが撮影した動画像を挿入することができる。
【００７３】
［第３の実施形態］
次に、本発明の第３の実施形態における画像処理システムについて図７を用いて説明する。
【００７４】
本実施形態における画像処理システム３００は、画像処理装置５０と、通信端末４０とを備える。画像処理装置５０は、第１の実施形態における画像処理装置１０の構成に加えて、表示部１８、送信部１９、撮影補助部５１と、を備える。通信端末４０は、第２の実施形態の通信端末４０と同様の構成である。
【００７５】
撮影補助部５１は、記録部１１に記録された第一の情報データに含まれる動画像（以下、第一の動画像とする）に基づいた撮影情報を送出する。
【００７６】
次に、本実施形態における画像処理システム３００の動作について説明する。なお、第一の実施形態と同様、記録部１１は、第一の動画像を含む第一の情報データを記録している。
【００７７】
初めに、通信端末４０の送信部２２は、通信端末４０のユーザ操作に基づき、画像処理装置５０に対して撮影情報を要求する信号（以下、要求信号とする）を送信する。要求信号の送信は、例えば、所定の電子メールを送信することで実行されることとしても良い。
【００７８】
次に、受信部１２が要求信号を受信すると、撮影補助部５１は、第一の動画像に基づいて、撮影情報を送出する。撮影情報とは、通信端末４０のユーザが、第一の動画像に類似した動画像を撮影するにあたって参照するものであり、例えば、第一の動画像のショットの時間長や、登場する人物の人数、背景の色などが含まれる。
【００７９】
撮影補助部５１から送出された撮影情報は、画像処理装置５０の表示部１８に表示されることとしても良い。この場合、通信端末４０のユーザは、表示部１８に表示された撮影情報を確認することができる。
【００８０】
あるいは、撮影補助部５１から送出された撮影情報は、画像処理装置５０の送信部１９によって、通信端末４０に送信されることとしても良い。そして、通信端末４０の表示部２４に、撮影情報が表示されることとしても良い。この場合、通信端末４０のユーザは、通信端末４０に表示された撮影情報を確認することができる。なお、撮影情報は、画像処理装置５０あるいは通信端末４０が更に備える音出力部により、音声によって通信端末４０のユーザに通知されることとしても良い。
【００８１】
そして、撮影補助部５１から送出された撮影情報を確認したユーザは、その撮影情報に従って、撮影部２１によって撮影を実行する。
【００８２】
例えば、撮影補助部５１から、人物２名が登場する動画像を１５秒間撮影する旨の撮影情報が送出されたとする。この場合ユーザは、１５秒間、人物２名を被写体として動画像を撮影する。また、背景が緑の動画像を撮影する旨の撮影情報が送出された場合には、ユーザは、例えば公園などの緑の多い場所で動画像を撮影する。
【００８３】
そして、ユーザが撮影情報に従って撮影した動画像（以下、第二の動画像とする）は、送信部２２によって画像処理装置５０に送信される。
【００８４】
画像処理装置５０の受信部１２が、第二の動画像を受信した後の動作については、第１の実施形態におけるステップ３〜５と同様であるため、説明は省略する。
【００８５】
以上のように、本実施形態においては、撮影補助部５１が、第一の動画像に基づいた撮影情報を送出することとした。これにより、ユーザは、第一の動画像のショットの時間長等を予め確認することなく、第一の動画像に類似した動画像を撮影することが可能となる。
【００８６】
一般に、カラオケ用音楽に付与された既存の第一の動画像は、そのカラオケ用音楽に適した動画像であることが多い。そのため、ユーザは、第一の動画像に基づいた撮影情報を確認しながら撮影を実行することで、カラオケ用音楽に適した動画像を撮影することができる。そして、ユーザが撮影した動画像を第一の動画像と置換することで、ユーザは、自身が撮影した動画像をそのカラオケ用音楽と共に、より楽しむことができる。
【００８７】
また、本実施形態における第一の動画像は、第一の情報データに含まれる複数のショットから構成される動画像の一部のショットであることとしても良い。また、第一の動画像は、複数の動画像からユーザ操作によって選択されるものとしても良い。これにより、ユーザが希望する動画像に関する撮影情報を取得することができる。そして、取得した撮影情報に基づいて撮影した動画像を、ユーザが希望する動画像に置換させることができる。
【００８８】
［第４の実施形態］
次に、本発明の第４の実施形態における画像処理システムについて、図８を用いて説明する。
【００８９】
本実施形態における画像処理システム４００の構成は、画像処理装置６０と通信端末４０とからなる。画像処理装置６０は、第１の実施形態における画像処理装置１０の構成に加えて、表示部１８と、保存判定部６１と、通知部６２と、を備える。保存判定部６１は、合成部１５により作成された第二の情報データを、第一の情報データに上書き保存するか否かを判定する。通知部６２は、通信端末４０に対して所定の通知を行う。
【００９０】
本実施形態における通信端末４０は、第２の実施形態における通信端末４０と同様の構成である。
【００９１】
次に、本実施形態における画像処理システム４００の動作について説明する。本実施形態における画像処理システム４００の動作と第１の実施形態における画像処理システム１００との相違点は、ステップ５が完了した後の動作である。そのため、ステップ１〜５の動作については、説明を省略する。
【００９２】
ステップ５において、合成部１５による第二の情報データの作成が完了すると、保存判定部６１は、第二の情報データを、記録部１１に記録されている第一の情報データに上書きして保存するか否かを判定する。ここで、保存判定部６１による判定は、例えば、画像処理装置６０に対して入力される保存指示に基づいて行われる。保存指示は、例えば、第一の情報データと第二の情報データとのそれぞれに含まれる動画像等を鑑賞した第三者が、第二の情報データの方が優れていると判断した場合に入力することとしても良い。
【００９３】
そして、保存判定部６１によって第二の情報データを第一の情報データに上書き保存する旨の判定がなされた場合、記録部１１は、第二の情報データを第一の情報データに上書きして保存する。
【００９４】
また、第二の情報データが第一の情報データに上書き保存された場合、画像処理装置６０の通知部６２は、ステップ２において受信された第二の動画像の送信元である通信端末４０に対して、所定の通知をする。
【００９５】
そして、通信端末４０の受信部２３は、該所定の通知を受信する。これにより、通信端末４０のユーザは、自身が撮影した動画像が挿入されている第二の情報データが、第一の情報データに上書き保存されたことを知ることができる。
【００９６】
この時、通信端末４０に送信される所定の通知には、通信端末４０のユーザに対するポイントの賞与の情報を含めることとしても良い。そして、このポイントは、例えば、画像処理装置６０がカラオケボックスに設置されている場合などにおいては、そのカラオケボックスを利用する際の料金の割引券として使用できることとしても良い。
【００９７】
以上のように、本実施形態においては、第二の情報データを第一の情報データに上書き保存した場合、通信端末４０にその旨が通知されることとした。そのため、通信端末４０のユーザは、自身が撮影した動画像が画像処理装置６０に保存される情報データに挿入されたことを知ることができ、自身が撮影した動画像を、画像処理装置に投稿する楽しみが増す。
【００９８】
なお、第１の実施形態乃至第４の実施形態は、各実施形態の機能を実現するソフトウェアのプログラムコードを記録した記録媒体を通信端末に供給し、その通信端末のコンピュータが記録媒体に格納されたプログラムコードを読み出し実行することによっても、達成されることは言うまでもない。
【００９９】
なお、プログラムを供給する記録媒体としては、例えば、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）、光ディスク、磁気ディスク、不揮発性メモリカードなど、上記プログラムを記憶できるものであれば良い。
【０１００】
上記の実施形態の一部又は全部は、以下の付記のようにも記載されうるが、以下には限られない。
【０１０１】
（付記１）第一の動画像を含む第一の情報データを記録する記録部と、第二の動画像を受信する第一の受信部と、前記第一の動画像と前記第二の動画像とのショットの時間長の差を検出する検出部と、前記検出部によって検出された前記ショットの時間長の差に基づいて、前記第二の動画像を補正する補正部と、前記第一の情報データに含まれる前記第一の動画像を、前記補正部によって補正された前記第二の動画像に置換する置換処理を実行することで、第二の情報データを生成する合成部と、を備えることを特徴とする、画像処理装置。
【０１０２】
（付記２）前記第一の動画像と前記第二の動画像とが類似するか否かを判定する判定部と、前記判定部により、前記第一の動画像と前記第二の動画像とが類似すると判定された場合、前記合成部は、前記置換処理を実行することを特徴とする、付記１に記載の画像処理装置。
【０１０３】
（付記３）前記判定部は、前記第一の動画像と前記第二の動画像とのショットの時間長の差が所定の値以上である場合、前記第一の動画像と前記第二の動画像とは類似しないと判定することを特徴とする、付記２に記載の画像処理装置。
【０１０４】
（付記４）前記第一の情報データは、複数のショットから構成される第三の動画像を含み、前記第一の動画像は、前記第三の動画像の一部のショットであることを特徴とする、付記１乃至３のいずれか一つに記載の画像処理装置。
【０１０５】
（付記５）前記第二の情報データに含まれる、前記第二の動画像を表示する第一の表示部を更に備えることを特徴とする、付記１乃至４のいずれか一つに記載の画像処理装置。
【０１０６】
（付記６）前記合成部は、前記第一の動画像に施された画像処理に基づいて、前記第二の動画像に対して画像処理を施すことを特徴とする、付記１乃至５のいずれか一つに記載の画像処理装置。
【０１０７】
（付記７）前記第一の動画像に関する所定の撮影情報を出力する撮影補助部を更に備えることを特徴とする、付記１乃至６のいずれか一つに記載の画像処理装置。
【０１０８】
（付記８）前記第二の情報データを、前記記録部に記録された前記第一の情報データに上書き保存するか否かを判定する保存判定部と、前記保存判定部が、前記第二の情報データが前記第一の情報データに上書き保存すると判定した場合、前記第二の動画像の送信元に、所定の通知を送信する通知部と、を更に備えることを特徴とする、付記１乃至７のいずれか一つに記載の画像処理装置。
【０１０９】
（付記９）付記１乃至８のいずれか一つに記載の画像処理装置と、通信端末と、を備え、前記通信端末は、撮影部と、第二の送信部と、を有し、前記撮影部は、前記第二の動画像を撮影し、前記第二の送信部は、前記第二の動画像を、前記画像処理装置に送信することを特徴とする、画像処理システム。
【０１１０】
（付記１０）前記画像処理装置は、前記第二の情報データを送信する第一の送信部を更に有し、前記通信端末は、前記第二の情報データを受信する第二の受信部と、前記第二の受信部が受信した前記第二の情報データに含まれる前記第二の動画像を表示する第二の表示部と、を更に有することを特徴とする、付記９に記載の画像処理システム。
【０１１１】
（付記１１）前記画像処理装置は、付記７に記載の画像処理装置であり、前記通信端末は、前記撮影補助部から出力された前記撮影情報を受信する第二の受信部と、前記第二の受信部が受信した前記撮影情報を表示する第二の表示部と、を更に有することを特徴とする、付記９に記載の画像処理システム。
【０１１２】
（付記１２）第一の動画像を含む第一の情報データを記録する工程と、第二の動画像を受信する工程と、前記第一の動画像と前記第二の動画像とのショットの時間長の差を検出する検出工程と、前記検出工程によって検出された前記ショットの時間長の差に基づいて、前記第二の動画像を補正する補正工程と、前記第一の情報データに含まれる前記第一の動画像を、前記補正工程によって補正された前記第二の動画像に置換する置換処理を実行することで、第二の情報データを生成する合成工程と、を備えることを特徴とする、画像処理方法。
【０１１３】
（付記１３）前記第一の動画像と前記第二の動画像とが類似するか否かを判定する判定工程と、前記判定工程により、前記第一の動画像と前記第二の動画像とが類似すると判定された場合、前記合成工程は、前記置換処理を実行することを特徴とする、付記１２に記載の画像処理方法。
【０１１４】
（付記１４）前記判定工程において、前記第一の動画像と前記第二の動画像とのショットの時間長の差が所定の値以上である場合、前記第一の動画像と前記第二の動画像とは類似しないと判定されることを特徴とする、付記１３に記載の画像処理方法。
【０１１５】
（付記１５）前記第一の情報データは、複数のショットから構成される第三の動画像を含み、前記第一の動画像は、前記第三の動画像の一部のショットであることを特徴とする、付記１２乃至１４のいずれか一つに記載の画像処理方法。
【０１１６】
（付記１６）前記第二の情報データに含まれる、前記第二の動画像を表示する工程を更に備えることを特徴とする、付記１２乃至１５のいずれか一つに記載の画像処理方法。
【０１１７】
（付記１７）前記第二の情報データを送信する工程を更に備えることを特徴とする、付記１２乃至１６のいずれか一つに記載の画像処理方法。
【０１１８】
（付記１８）前記合成工程において、前記第一の動画像に施された画像処理に基づいて、前記第二の動画像に対して画像処理を施すことを特徴とする、付記１２乃至１７のいずれか一つに記載の画像処理方法。
【０１１９】
（付記１９）前記第一の動画像に関する所定の撮影情報を出力する工程を更に備えることを特徴とする、付記１２乃至１８のいずれか一つに記載の画像処理方法。
【０１２０】
（付記２０）前記第二の情報データを、前記記録部に記録された前記第一の情報データに上書き保存するか否かを判定する保存判定工程と、前記保存判定工程により、前記第二の情報データが前記第一の情報データに上書き保存すると判定された場合、前記第二の動画像の送信元に、所定の通知を送信する工程と、を更に備えることを特徴とする、付記１２乃至１９のいずれか一つに記載の画像処理方法。
【０１２１】
（付記２１）付記１２乃至２０のいずれか一つに記載の画像処理方法に含まれる工程を、コンピュータに実行させることを特徴とする、画像処理プログラム。
【０１２２】
（付記２２）付記２１に記載の画像処理プログラムを記録することを特徴とする、記録媒体。
【符号の説明】
【０１２３】
１０、３０、５０、６０    画像処理装置
１１    記録部
１２、２３    受信部
１３    検出部
１４    補正部
１５    合成部
１６    分割部
１７    判定部
１８、２４    表示部
１９、２２  送信部
２０、４０    通信端末
２１    撮影部
５１    撮影補助部
６１    保存判定部
６２    通知部
【図１】
2012070212.tif 000003
【図２】
2012070212.tif 000004
【図３】
2012070212.tif 000005
【図４】
2012070212.tif 000006
【図５】
2012070212.tif 000007
【図６】
2012070212.tif 000008
【図７】
2012070212.tif 000009
【図８】
2012070212.tif 000010